(57)【要約】      （修正有）【課題】気管チューブ本体の先端部及び湾曲部に溜まる痰などの異物を吸引し、気管チューブ本体の呼吸路が狭くなることを防止できる吸引コネクタ及び気管チューブを提供する。【解決手段】管気チューブ１は、気管チューブ本体２と、吸引コネクタ４５とを備える。気管チューブ本体２は、基端部２１と、先端部２２と、基端部２１と先端部２２の間に設けられた湾曲部２３と、を有する。吸引コネクタ４５は、接続部１１，４６と、吸引チューブ３２とを有する。吸引チューブ３２は、気管チューブ本体２に挿入され、湾曲部２３及び先端部２２に溜まる異物Ｓを吸引する。そして、吸引チューブ３２は、気管チューブ本体２の先端部２２に配置される第１吸引口３４ａと、気管チューブ本体２の湾曲部２３の半径方向外側に配置される第２吸引口３５ａと、を有する。【選択図】図２
2013192657.tif 000002
【特許請求の範囲】
【請求項１】
基端部及び気管内に挿入される先端部を有する気管チューブ本体と、人工呼吸器に連通する人工呼吸ラインとを接続する吸引コネクタであって、
異物を吸引する吸引器に連通する吸引ラインが接続される接続部と、
前記接続部に設けられ、前記接続部の吸引流路と連通し、かつ前記気管チューブ本体内に挿入される吸引チューブと、を備え、
前記吸引チューブは、前記気管チューブ本体の前記先端部に配置される第１吸引口と、前記気管チューブ本体の前記基端部と前記先端部の間に配置される第２吸引口と、を有する
ことを特徴とする吸引コネクタ。
【請求項２】
更に、前記接続部は、前記気管チューブの基端部が接続される第１接続部と、前記第１接続部に連通する呼吸路を有し、かつ前記人工呼吸ラインが接続される第２接続部と、を備える
請求項１に記載の吸引コネクタ。
【請求項３】
前記吸引チューブは、前記第１吸引口が設けられた第１吸引管と、
前記第２吸引口が設けられた前記第１吸引管よりも短い第２吸引管と、を有する
請求項１又は２に記載の吸引コネクタ。
【請求項４】
前記第１吸引管の外周面と前記第２吸引管の外周面は接合している
請求項３に記載の吸引コネクタ。
【請求項５】
前記吸引チューブは、筒状に形成された吸引管からなり、
前記第１吸引口は、前記吸引管の軸方向の先端に形成され、
前記第２吸引口は、前記吸引管の軸方向の中途部に形成される
請求項１又は２に記載の吸引コネクタ。
【請求項６】
前記第１吸引口及び前記第２吸引口の近傍には、前記吸引チューブ内に空気を取り込む通気孔が形成されている
請求項１〜５に記載の吸引コネクタ。
【請求項７】
前記通気孔の面積は、前記第１吸引口又は第２吸引口の面積よりも小さい
請求項６に記載の吸引コネクタ。
【請求項８】
基端部、気管内に挿入される先端部及び前記基端部と前記先端部の間に設けられた湾曲部を有する気管チューブ本体と、
前記基端部に接続され、人工呼吸器に連通する人工呼吸ラインと前記気管チューブ本体とを接続する吸引コネクタと、を備え、
前記吸引コネクタは、異物を吸引する吸引器に連通する吸引ラインが接続される接続部と、
前記接続部に設けられ、前記接続部の吸引流路と連通し、かつ前記気管チューブ本体内に挿入される吸引チューブと、を有し、
前記吸引チューブは、前記気管チューブ本体の前記先端部に配置される第１吸引口と、前記気管チューブ本体の前記湾曲部の半径方向外側に配置される第２吸引口と、を有する
ことを特徴とする気管チューブ。
【発明の詳細な説明】
【技術分野】
【０００１】
本発明は、吸引ポンプなどの吸引器に接続して用いられ、唾液や、肺や気管支から分泌された痰などの異物を持続的に吸引する吸引コネクタ、及び、この吸引コネクタを備えた気管チューブに関する。
【背景技術】
【０００２】
従来、自発的な呼吸が不十分な患者に対して人工呼吸器を用い、人工的に呼吸を施す処置が行われている。人工呼吸器は、例えば、口から気管内に挿管する気管内チューブや、気管切開口から気管内に挿管する気管切開チューブなどの挿管デバイスに接続され、その挿管デバイスを介して患者の呼吸を確保する。
【０００３】
ところで、気管内チューブや気管切開チューブなどの挿管デバイスが挿管された患者は、気管内における繊毛運動が抑制されてしまうため、気管や気管支などに溜まった痰や唾液などを自力で排出することができない。したがって、介護者は、患者に挿管された挿管デバイスを通して吸引チューブを気管内に挿入し、痰などの異物を吸引する喀痰吸引作業を定期的に行う必要がある。この喀痰吸引作業は、昼夜を問わず一日に何度も必要であり、介護者にとって負担が大きい。
【０００４】
また、上述した喀痰吸引作業では、人工呼吸器が挿管デバイスから一旦取り外されるため、喀痰吸引作業中に患者に酸素が供給されず、低酸素血症となる危険性がある。さらに、吸引チューブを気管内に挿入した際に、気道内膜を刺激し、炎症を生じさせる恐れがある。
このように、介護者が定期的に行う喀痰吸引作業は、介護者にとっても、患者にとっても負担が大きい。
【０００５】
このような問題の対策として、例えば特許文献１に記載された気管チューブが提案されている。特許文献１に記載された気管チューブでは、人工呼吸器に接続された気管チューブ本体内に、吸引装置に接続された吸引チューブを設け、この吸引チューブを介して気管に溜まった痰などの異物を持続的に吸引している。
【０００６】
また、特許文献１に記載された気管チューブの気管チューブ本体は、略Ｌ字状に形成されている。この気管チューブ本体は、気管内の肺側に配置される先端部と、先端部と反対側に位置する基端部と、先端部と基端部の間に位置し、所定の曲率で湾曲する湾曲部とを有する。
そして、気管チューブ本体には、異物を吸引する吸引チューブが挿入される。吸引チューブの先端は、気管チューブ本体の先端部の開口から突出し、気管に溜まった痰などの異物を吸引している。
【先行技術文献】
【特許文献】
【０００７】
【特許文献１】特開２００７−３０７１８５号公報
【発明の概要】
【発明が解決しようとする課題】
【０００８】
しかしながら、特許文献１に記載された気管チューブでは、吸引チューブによって、吸引されなかった痰などの異物が、呼気の流れにより、先端部の開口から気管チューブ本体内に入り込んでいた。また、特許文献１に記載された気管チューブは、略Ｌ字状に形成されているため、呼気が湾曲部に当たっていた。その結果、気管チューブ本体に入り込んだ異物は、呼気が当たる気管チューブ本体の湾曲部に溜まる、という問題があった。
【０００９】
また、異物が湾曲部に徐々に堆積することで、気管チューブ本体の呼吸路が狭くなってしまい、肺と人工呼吸器との間で呼気が通過する呼吸路が十分に確保できなくなるおそれがあった。
【００１０】
本発明は、このような状況に鑑みてなされたものであり、気管チューブ本体の先端部と湾曲部に溜まる異物を吸引することができるとともに、気管チューブ本体の呼吸路が狭くなることを防止することを目的とする。
【課題を解決するための手段】
【００１１】
上記課題を解決し、本発明の目的を達成するため、本発明の吸引コネクタは、基端部及び気管内に挿入される先端部を有する気管チューブ本体と人工呼吸器に連通する人工呼吸ラインとを接続する吸引コネクタである。
また、吸引コネクタは、接続部と、吸引チューブと、を備える。接続部には、異物を吸引する吸引器に連通する吸引ラインが接続される。吸引チューブは、接続部に設けられ、接続部の吸引流路と連通し、かつ気管チューブ本体内に挿入される。
そして、吸引チューブは、気管チューブ本体の先端部に配置される第１吸引口と、気管チューブ本体の基端部と先端部の間に配置される第２吸引口と、を有する。
【００１２】
また、本発明の気管チューブは、気管チューブ本体と、吸引コネクタと、を備える。気管チューブ本体は、基端部、気管内に挿入される先端部及び基端部と先端部の間に設けられた湾曲部を有する。吸引コネクタは、基端部に接続され、人工呼吸器に連通する人工呼吸ラインと気管チューブ本体とを接続する。また、吸引コネクタは、接続部と、吸引チューブと、を有する。接続部には、異物を吸引する吸引器に連通する吸引ラインが接続される。吸引チューブは、接続部に設けられ、接続部の吸引流路と連通し、かつ気管チューブ本体内に挿入される。
そして、吸引チューブは、気管チューブ本体の先端部に配置される第１吸引口と、気管チューブ本体の湾曲部の半径方向外側に配置される第２吸引口と、を有する。
【発明の効果】
【００１３】
本発明の気管チューブ及び吸引コネクタによれば、吸引チューブが、気管チューブ本体の先端部に位置する第１吸引口と、湾曲部の半径方向外側に位置する第２吸引口と、を有するため、気管チューブ本体の先端部と湾曲部に溜まる異物を吸引することができる。その結果、気管チューブ本体内に溜まる異物を効率よく吸引することができ、湾曲部に溜まる異物によって、呼吸路が狭くなることを防止できる。
【図面の簡単な説明】
【００１４】
【図１】本発明の第１の実施の形態にかかる気管チューブを人体に装着した状態を示す説明図である。
【図２】図１に示す本発明の第１の実施の形態にかかる気管チューブの要部を示す断面図である。
【図３】本発明の第２の実施の形態にかかる気管チューブにおける吸引コネクタを示す断面図である。
【図４】本発明の第２の実施の形態にかかる気管チューブを人体に装着した状態の要部を示す断面図である。
【図５】図５Ａは本発明の第３の実施の形態にかかる気管チューブにおける吸引コネクタを示す断面図である。図５Ｂは図５Ａに示すＸ−Ｘ線に沿って断面した断面図である。
【発明を実施するための形態】
【００１５】
以下、本発明の気管チューブ及び吸引コネクタを実施するための形態について、図１〜図５を参照して説明する。なお、各図において共通の部材には、同一の符号を付している。また、本発明は、以下の形態に限定されるものではない。
なお、説明は以下の順序で行う。
１．第１の実施形態例
１−１．気管チューブの構成例
１−２．気管チューブの使用方法
２．第２の実施形態例
３．第３の実施形態例
【００１６】
＜１．第１の実施形態例＞
１−１．気管チューブの構成例
まず、本発明の気管チューブの第１の実施の形態例（以下、「本例」という。）について、図１及び図２を参照して説明する。
図１は本例の気管チューブを人体に装着した状態を示す説明図である。図２は本例の気管チューブを示す断面図である。
【００１７】
［気管チューブ］
図１に示す気管チューブ１は、患者の呼吸管理を行うとともに、呼吸器から分泌され、異物をからめとった粘液である痰などの異物を吸引して体内から排出する器具である。気管チューブ１としては、例えば、気管を切開して形成された切開口から気管に直接挿入される気管切開チューブや、口から気管に挿管される気管内チューブなどを挙げることができる。本例では、気管チューブ１として気管切開チューブを適用した例を説明する。
【００１８】
気管チューブ１は、気管チューブ本体２と、接続アダプタ４６を介して気管チューブ本体２に取り付けられる吸引コネクタ４５と、から構成される。
【００１９】
［気管チューブ本体］
図２に示すように、気管チューブ本体２は、両端が開口した筒状に形成される。気管チューブ本体２の内部には、呼気が通る呼吸路２ａが設けられている。気管チューブ本体２の材質としては、シリコーン、ポリカーボネート、ポリプロピレン、ポリエチレン等の合成樹脂を挙げることができる。気管チューブ本体２は、先端部２２と、先端部２２と反対側に設けられる基端部２１と、基端部２１と先端部２２の間に位置する湾曲部２３を有する。湾曲部２３では略直角に湾曲しており、気管チューブ本体２は略Ｌ字状に形成される。
【００２０】
仰向けの姿勢の患者に対して、気管チューブ本体２は、気管７と気管７の上部の皮膚５を切開して設けられた気管切開口から鉛直方向下向きに挿入される。このとき、先端部２２は、気管７における鉛直方向上方の皮膚側気管粘膜７ａ及び鉛直方向下方の体内側気管粘膜７ｂと所定の間隔を開けて、気管７内における肺側に配置される。そして、先端部２２の開口が気管７における肺側を向く。
【００２１】
また、基端部２１は、鉛直方向に沿って、気管７の軸方向と略垂直に配置される。そして、基端部２１における湾曲部２３と連続する一端部は皮膚５内に位置し、基端部２１の他端部は気管切開口から体外に露出している。
【００２２】
基端部２１の他端部には、後述する吸引コネクタ４５の接続アダプタ４６が取り付けられる。
【００２３】
気管チューブ本体２の基端部２１には、固定部２７が設けられている。固定部２７は、気管チューブ本体２を人体に装着した際に、皮膚５に当接することで、先端部２２を気管７内の適切な位置に固定する。固定部２７は、固定板２８と、接着部２９と、を有している。
【００２４】
固定板２８は、略長方形状の平板に形成されている。固定板２８における長手方向の中央部には、収納孔３１が形成されている。そして、固定板２８の一端面は、皮膚５と当接し、固定板２８の他端面には、接着部２９が取り付けられている。
【００２５】
接着部２９は、気管チューブ本体２の基端部２１を固定部２７に接着する。接着部２９は、略円板状に形成される。接着部２９は、半径方向の中央に略円形の貫通孔３０と、外周から貫通孔３０に向かって形成された溝部が設けられている。貫通孔３０は、固定板２８の他端面と当接する接着部２９の一端面から他端面にかけて形成されている。この貫通孔３０は、収納孔３１と連続している。貫通孔３０の大きさは、基端部２１の外径の大きさに合わせて設定される。
【００２６】
接着部２９の貫通孔３０には、気管チューブ本体２の基端部２１が貫通され、例えば、接着剤により固定される。また、接着部２９の溝部には、後述するカフ６とパイロットバルーン２６を接続する空気注入用チューブ２５と、カフ側吸引チューブ４０が貫通する。そして、収納孔３１には、基端部２１と、空気注入用チューブ２５と、カフ側吸引チューブ４０が貫通する。
【００２７】
本例では、気管チューブ本体２を接着部２９に固定する方法として、接着剤による固定を例に挙げたが、例えば、溶着による固定など各種の固定方法を採用することができる。
【００２８】
気管チューブ本体２の先端部２２には、カフ６が取り付けられている。カフ６は、気管チューブ本体２における先端部２２の外周面を覆うように固定されている。カフ６は、カフ調整部８と接続している。カフ調整部８は、パイロットバルーン２６と、カフ６とパイロットバルーン２６を接続する空気注入用チューブ２５とにより構成される。
【００２９】
パイロットバルーン２６は、略扁平の六角形状に形成される。本例では、パイロットバルーン２６を六角形として説明するが、これに限定されない。例えば、カフ調整部の形状を略四角形や円形などに形成することができ、その他様々な形状に形成してもよい。
【００３０】
パイロットバルーン２６の一端部には空気注入孔２６ａが設けられ、パイロットバルーン２６の他端部には、排出口２６ｂが設けられている。空気注入孔２６ａには、逆止弁が取り付けられている。この空気注入孔２６ａから空気がパイロットバルーン２６および空気注入用チューブ２５を介してカフ６に送り込まれる。送り込まれた空気は、逆止弁により、取込口２６ａから漏れ出なくなる。また、パイロットバルーン２６を指で押圧することで、カフ６にかかる圧を触感的に感知することができる。
【００３１】
空気注入用チューブ２５は、その一端がパイロットバルーン２６に接続され、その他端がカフ６に接続されている。空気注入用チューブ２５は、接着部２９の溝部と固定板２８の収納孔３１を貫通する。そして、空気注入用チューブ２５は、気管チューブ本体２の湾曲部２３の半径方向内側に沿って配置され、気管チューブ本体２に固定される。
【００３２】
空気注入孔２６ａからパイロットバルーン２６および空気注入用チューブ２５を介して送り込まれた空気がカフ６に入ることで、カフ６は膨らみ、気管７の粘膜（皮膚側気管粘膜７ａ、体内側気管粘膜７ｂ）に密着する。これにより、気管チューブ本体２と気管７との間に形成される隙間を塞ぐことができる。
【００３３】
カフ６が気管チューブ本体２と気管７との間に形成される隙間を塞ぐことで、人工呼吸器から送られた酸素が喉頭側に漏れることを防止するとともに、喉頭側から流れてきた唾液等が肺側に入りこむことを防止することができる。
【００３４】
気管チューブ本体２を挟んで、カフ調整部８と反対側には、カフ側吸引部３８が設けられている。カフ側吸引部３８は、カフ側吸引コネクタ３９と、カフ側吸引チューブ４０と、から構成される。カフ側吸引チューブ４０は、細長い筒状に形成されている。カフ側吸引チューブ４０は、空気注入用チューブ２５と同様に、接着部２９の溝部及び固定板２８の収納孔３１を貫通する。そして、カフ側吸引チューブ４０は、気管チューブ本体２における湾曲部２３の半径方向外側に沿って配置され、気管チューブ本体２に固定される。
【００３５】
カフ側吸引チューブ４０の一端には、カフ側吸引口４０ａが設けられている。カフ側吸引口４０ａは、カフ６の近傍に位置する。カフ側吸引チューブ４０の他端部には、カフ側吸引コネクタ３９が取り付けられている。カフ側吸引コネクタ３９には、不図示の吸引器が装着される。
【００３６】
喉頭側から流れてきた唾液等は、気管７の体内側気管粘膜７ｂを伝い、肺側に流れる。この唾液等は、膨出したカフ６によって堰き止められ、体内側気管粘膜７ｂとカフ６により形成される空間に溜まる。そして、カフ６によって堰き止められた唾液等は、吸引器が作動することで、カフ側吸引部３８により、カフ側吸引口４０ａから吸引される。一方、気管７の肺側において分泌された異物は、呼気の流れに伴い、気管チューブ本体２の先端部２２に移動する。気管チューブ本体２の基端部２１には、接続アダプタ４６が接続されている。
【００３７】
［吸引コネクタ］
次に、吸引コネクタについて、図２を参照して説明する。
図２に示すように、本発明の吸引コネクタ４５は、接続アダプタ４６と、吸引チューブ３２と、吸引ライン接続部１１とを備える。
【００３８】
接続アダプタ４６は、後述する吸引コネクタ４５と、気管チューブ本体２とを連結する。接続アダプタ４６は、アダプタ本体９と、連通部１８と、第２接続部１７により構成される。
【００３９】
アダプタ本体９は、略円筒形状に形成され、軸方向の両端は開口している。このアダプタ本体９は、その一端から他端に渡って第１呼吸路１９が設けられている。そして、アダプタ本体９の軸方向の一側には、第１接続部９ａが設けられている。また、第１接続部９ａの内径は、基端部２１の外径に合わせて設定される。そして、この第１接続部９ａには、気管チューブ本体２の基端部２１が嵌合される。そのため、第１接続部９ａの軸方向は、基端部２１の軸方向と一致する。
【００４０】
アダプタ本体９の軸方向の他側には、挿通孔９ｂが形成されている。挿通孔９ｂには、後述する吸引チューブ３２が挿通されて固定される。挿通孔９ｂの径の大きさは、吸引チューブ３２の外径と略同じ大きさに設定される。
【００４１】
アダプタ本体９の外周面には、第１呼吸路１９と連通する連通穴４７が設けられている。連通穴４７は、略円形状に開口している。この連通穴４７には、連通部１８がアダプタ本体９の外周面と略垂直に設けられている。
【００４２】
連通部１８は、略円筒形状の部材により形成され、軸方向の両端は開口している。この連通部１８は、軸方向の一端から他端にかけて第２呼吸路２０が設けられている。第２呼吸路２０の他端は、アダプタ本体９の連通穴４７に連通している。連通部１８の軸方向の一端には、第２接続部１７が接続されている。
【００４３】
第２接続部１７は、略円筒形状に形成されている。第２接続部１７の軸方向の一側には取付口２４が設けられ、第２接続部１７の軸方向の他側には接続口４８が設けられている。取付口２４には、不図示の人工呼吸器が人工呼吸ラインを介して接続される。接続口４８は、連通部１８の第２呼吸路２０と連通する。これにより、接続口４８、第２呼吸路２０、連通穴４７、第１呼吸路１９が連通する。その結果、人工呼吸器が作動することで、アダプタ本体９を介して、気管チューブ本体２の呼吸路２ａ内に空気が流れ、気管チューブを装着した患者の呼吸の管理を行うことができる。したがって、呼吸に必要な酸素の通り道である気道が閉塞することを防止することができ、患者の呼吸管理を行うことができる
【００４４】
吸引チューブ３２は、可撓性を有し、細長い筒状に形成されている。吸引チューブ３２は、基管３３と、基管３３から分岐した第１吸引管３４と、第２吸引管３５とから構成されている。吸引チューブ３２は、気管チューブ本体２の呼吸路２ａと挿通孔９ｂに挿通される。なお、本実施の形態例では、吸引チューブ３２が基管３３から第１吸引管３４と第２吸引管３５に２つに分岐する例を説明したが、吸引チューブの基管から分岐する吸引管の数を３つ以上としてもよい。
【００４５】
基管３３の一端部には、第１吸引管３４と第２吸引管３５が設けられている。また、基管３３の他端部は、気管チューブ本体２から突出し、アダプタ本体９の挿通孔９ｂに挿通される。そして、基管３３の他端部は、吸引ライン接続部１１に挿入され固定される。基管３３の固定方法としては、接着剤、溶着、嵌合による固定など、各種の固定方法を用いることができる。
【００４６】
第１吸引管３４は、気管チューブ本体２の基端部２１から先端部２２の先端面２２ａの近傍に渡って配置される。第１吸引管３４の先端には、第１吸引口３４ａが設けられている。第１吸引管３４における第１吸引口３４ａの近傍の外周面には、通気孔３７が形成されている。
【００４７】
第２吸引管３５は、第１吸引管３４よりも短く形成されている。この第２吸引管３５は、気管チューブ本体２の基端部２１から湾曲部２３に渡って配置される。第２吸引管３５の先端には、第２吸引口３５ａが設けられている。そして、第２吸引管３５における第２吸引口３５ａの近傍の外周面には、第１吸引管３４と同様に、通気孔３７が形成されている。
【００４８】
通気孔３７には、異物を吸引する際、気管チューブ本体２内にある空気が取り込まれる。通気孔３７に空気を取り込むことで第１吸引管３４及び第２吸引管３５内に乱流を発生させることができる。その結果、通気孔３７から空気が取り込まれ、第１吸引管３４及び第２吸引管３５において乱流が発生するとき、第１吸引管３４及び第２吸引管３５内における吸引抵抗が小さくなる。これにより、第１吸引管３４及び第２吸引管３５を通過する異物を勢い良く流すことができる。
【００４９】
吸引ライン接続部１１は、接続部本体１２と、流量調整部１０を有する。接続部本体１２は、略円筒形状に形成される。接続部本体１２の軸方向の一端は、接続アダプタ４６のアダプタ本体９の他端に取り付けられている。接続部本体１２の軸方向の他端部は、その外径が段階的に小さく形成される。接続部本体１２の他端部には、不図示の吸引器の吸引ラインが接続される。この吸引器によって痰などの異物Ｓが吸引される。
【００５０】
また、接続部本体１２には、吸引流路１３と挿入孔１４が設けられている。吸引流路１３は、接続部本体１２の軸方向の一端から他端に渡って形成される。吸引流路１３には、吸引チューブ３２の他端部が挿通されている。これにより、吸引流路１３は、吸引チューブ３２と連通する。
【００５１】
挿入孔１４は、接続部本体１２の外周面に設けられている。この挿入孔１４は、接続部本体１２の側壁から吸引流路１３に向かって略垂直に形成される。これにより、挿入孔１４は、吸引流路１３と連通する。挿入孔１４には、流量調整部１０が設けられている。
【００５２】
流量調整部１０は、軸部１５と、操作部１６とを有する。軸部１５は、棒状の部材により形成され、軸方向の一端が円錐形状となっている。軸部１５の軸方向の他端には操作部１６が設けられている。流量調整部１０の軸部１５が挿入孔１４に挿入され、操作部１６により操作することで、軸部１５の先端の位置を調整することができる。これにより、軸部１５の先端の位置に応じて、吸引流路１３の径を変化させることができ、異物の吸引流量を調整することができる。
【００５３】
なお、基管から第１吸引管と第２吸引管を分岐させた例を説明したが、これに限定されない。例えば、第１吸引管と第２吸引管を別々に設け、それぞれを吸引ライン接続部に固定させてもよい。
【００５４】
１−２．気管チューブの使用方法
次に、本例の気管チューブ１の使用方法について、図１及び図２を参照して説明する。
まず、気管チューブ１を使用する前の状態について説明する。図１に示すように、ユーザは、気管チューブ１を患者に装着する。具体的には、患者の皮膚５に設けられた気管切開口から気管７に気管チューブ１を挿入する。そして、皮膚５に気管チューブ１の固定部２７を当接させ、気管チューブ１を患者に固定する。気管チューブ本体２には、不図示の人工呼吸器が人工呼吸ラインを介して接続されており、気道が確保され、患者の呼吸管理を行うことができる。
【００５５】
そして、呼吸器から分泌された粘液は、異物をからめとり痰となる。この痰は、気管７内に次第に溜まってくる。患者が人工呼吸器により呼吸を行うと、図２に示すように、気管７に滞留する痰などの異物Ｓは、気管７を流れる呼気により、気管チューブ本体２の先端部２２付近に流れ込む。
【００５６】
先端部２２には、第１吸引管３４の第１吸引口３４ａが配置されている。そして、吸引コネクタ４５は、第１吸引口３４ａから先端部２２付近に溜まった異物Ｓを吸引する。第１吸引口３４ａから吸引された異物Ｓは、第１吸引管３４を通り、基管３３に流れる。
【００５７】
また、第１吸引口３４ａが吸引しきれなかった異物Ｓは、呼気により、湾曲部２３にまで流れて溜まる。湾曲部２３には、第２吸引管３５の第２吸引口３５ａが配置されている。そのため、湾曲部２３に溜まった異物Ｓは、第２吸引管３５の第２吸引口３５ａから吸引される。第２吸引口３５ａから吸引された異物Ｓは、第２吸引管３５を通り、基管３３に流れる。これにより、先端部２２及び湾曲部２３に溜まった異物Ｓは、吸引器に収納され、患者の体内から排出される。
【００５８】
気管チューブ本体２に流れ込む異物は、先端部２２及び湾曲部２３において、第１吸引口３４ａ及び第２吸引口３５ａにより吸引される。これにより、先端部２２だけでなく、湾曲部２３に溜まる異物も吸引することができるため、効率よく吸引して体外に異物Ｓを排出することができる。また、呼吸路２ａが狭くなることを防止でき、呼吸路２ａを十分に確保することができる。
【００５９】
＜２．第２の実施形態例＞
次に、第２の実施の形態例にかかる気管チューブについて、図３及び図４を参照して説明する。
図３は、第２の実施の形態例にかかる気管チューブにおける吸引コネクタを示す断面図である。図４は、本発明の第２の実施の形態にかかる気管チューブを人体に装着した状態の要部を示す断面図である。
【００６０】
第２の実施の形態例にかかる気管チューブ１０１が第１の実施の形態例にかかる気管チューブ１と異なるところは、吸引チューブである。そのため、ここでは、吸引チューブについて説明し、気管チューブ１と共通する部分には同一の符号を付して重複した説明を省略する。
【００６１】
図３に示すように、第２の実施の形態例にかかる吸引チューブ１３２は、基管１３３と、基管１３３から分岐した第１吸引管１３４と、第２吸引管１３５とから構成されている。第１吸引管１３４の外周面と第２吸引管１３５の外周面は、例えば、接着剤により接合されている。第１吸引管１３４の外周面と第２吸引管１３５の外周面における接合方法は、これに限定されない。その他の例としては、溶着などを挙げることができ、その他各種の接合方法を用いることができる。
【００６２】
ここで、第２の実施の形態例にかかる気管チューブ１０１を人体に装着して使用する場合について、図４を参照して説明する。
図４に示すように、第１吸引管１３４は、気管チューブ本体２の基端部２１から先端部２２に渡って配置される。このとき、第１吸引管の第１吸引口１３４ａは、先端部２２の先端面２２ａの近傍に位置する。また、第２吸引管１３５は、第１吸引管１３４に固定されているため、第１吸引管１３４に沿って配置される。このとき、第２吸引管１３５の第２吸引口１３５ａは、湾曲部２３に位置する。
【００６３】
第２の実施の形態例にかかる気管チューブ１０１では、第１吸引管１３４の外周面と第２吸引管１３５の外周面が接合される構成とした。これにより、気管チューブ本体２の呼吸路２ａ内で配置される第１吸引管１３４及び第２吸引管１３５の位置を安定させることができる。
【００６４】
その他の構成は、上述した第１の実施の形態例にかかる気管チューブ１の吸引チューブ３２と同様であるため、それらの説明は省略する。このような構成を有する吸引チューブ１３２によっても、上述した第１の実施の形態例にかかる気管チューブ１の吸引チューブ３２と同様の作用及び効果を得ることができる。
【００６５】
＜３．第３の実施形態例＞
次に、第３の実施の形態例にかかる気管チューブについて、図５Ａ及び図５Ｂを参照して説明する。
図５Ａは本発明の第３の実施の形態にかかる気管チューブにおける吸引コネクタを示す断面図である。図５Ｂは図５Ａに示すＸ−Ｘ線に沿って断面した断面図である。
【００６６】
第３の実施の形態例にかかる気管チューブが第２の実施の形態例にかかる気管チューブ１０１と異なるところは、吸引コネクタの吸引チューブである。そのため、ここでは、吸引コネクタの吸引チューブに関連する事項について説明し、気管チューブ１０１と共通する部分には同一の符号を付して重複した説明を省略する。
【００６７】
図５Ａに示すように、第３の実施の形態例にかかる吸引チューブ２３２は、細長い略筒形状の吸引管２３３から構成される。図５Ｂに示すように、吸引管２３３には、その軸方向に沿って、第１の吸引路２３４と、第２の吸引路２３５が設けられている。
【００６８】
吸引管２３３の軸方向の一端である先端には、第１吸引口２３４ａが形成されている。そして、吸引管２３３の軸方向の中途部には、第２吸引口２３５ａが形成されている。また、第１吸引口２３４ａは、第１の吸引路２３４と連続し、第２吸引口２３５ａは、第２の吸引路２３５と連続する。吸引チューブ２３２が気管チューブ本体２に挿入されると、第１吸引口２３４ａは、気管チューブ本体２の先端部２２に位置し、第２吸引口２３５ａは、気管チューブ本体２の湾曲部２３に位置する。
【００６９】
吸引チューブ２３２の吸引管２３３が一本で形成されているため、吸引チューブ２３２につなぎ目や分岐点がなくなる。これにより、汚れがつなぎ目や分岐点に入り込むことがなくなり、吸引チューブ２３２を容易に洗浄でき、吸引チューブ２３２を清潔に保つことができる。
【００７０】
その他の構成は、上述した第１の実施の形態例にかかる気管チューブ１の吸引チューブ３２と同様であるため、それらの説明は省略する。このような構成を有する吸引チューブ２３２によっても、上述した第１の実施の形態例にかかる気管チューブ１吸引チューブ３２と同様の作用及び効果を得ることができる。
【００７１】
また、第３の実施の形態例にかかる吸引チューブ２３２では、第１吸引口２３４ａと第２吸引口２３５ａに対して、それぞれ第１の吸引路２３４と第２の吸引路２３５を設けた例を説明したが、第１の吸引路２３４と第２の吸引路２３５を一体に形成してもよい。すなわち、１つの吸引路に対して、第１吸引口２３４ａと第２吸引口２３５ａが連続するようにしてもよい。
【００７２】
なお、本発明は上述しかつ図面に示した実施の形態に限定されるものではなく、特許請求の範囲に記載した発明の要旨を逸脱しない範囲内で種々の変形実施が可能である。例えば、上述した吸引コネクタを口から気管内に挿管する気管内チューブに適用することもできる。
【００７３】
また、第１吸引管及び第２吸引管のそれぞれに通気孔を１つずつ形成した例を説明したが、第１吸引管及び第２吸引管のそれぞれに複数の通気孔を設けてもよい。この場合、通気孔の面積の合計が、通気孔が形成された吸引管の吸引口の面積よりも小さくなるように設定することが好ましい。
【符号の説明】
【００７４】
１，１０１…気管チューブ、  ２…気管チューブ本体、  ５…皮膚、  ６…カフ、７…気管、  ８…カフ調整部、  ９…アダプタ本体、  ９ａ…第１接続部、  １１…吸引ライン接続部（接続部）、  １７…第２接続部、  １９…第１呼吸路、  ２０…第２呼吸路、  ２１…基端部、  ２２…先端部、  ２３…湾曲部、  ３２，１３２，２３２…吸引チューブ、  ３３，１３３…基管、３４，１３４…第１吸引管、  ３４ａ，１３４ａ，２３４ａ…第１吸引口、  ３５，１３５…第２吸引管、  ３５ａ，１３５ａ，２３５ａ…第２吸引口、  ３７…通気孔、  ４５，１４５，２４５…吸引コネクタ、  ４６…接続アダプタ（接続部）、  ２３３…吸引管、  ２３４…第１の吸引路、  ２３５…第２の吸引路
【図１】
2013192657.tif 000003
【図２】
2013192657.tif 000004
【図３】
2013192657.tif 000005
【図４】
2013192657.tif 000006
【図５】
2013192657.tif 000007